【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
誘導結合通信における干渉を軽減するための方法であって、
第１の信号を生成することと、ここにおいて、第１の信号周波数は、誘導結合通信のためのキャリア周波数の第１の整数倍である、
スタンドアロンモードと共存モードの間で選択することと、
スタンドアロンモードにあるときに、第２の信号を取得するために、前記第１の信号を分周することと、ここにおいて、第２の信号周波数は、前記キャリア周波数の第２の整数倍である、
共存モードにあるときに、第３の信号を取得するために、前記第１の信号を分周することと、ここにおいて、第３の信号周波数は、前記キャリア周波数の第３の整数倍である、  前記第２の信号および前記第３の信号のうちの少なくとも１つを使用して、誘導結合通信信号を生成することと、
を備え、前記誘導結合通信信号を生成することは、波形ジェネレータルックアップテーブルを使用して、前記誘導結合通信信号に前記第３の信号を変換することを備える、方法。
【請求項２】
前記スタンドアロンモードと前記共存モードの間で選択することは、
ＦＭ受信なしに誘導結合通信送信を実行するときに、スタンドアロンモードを選択することと、
ＦＭ受信中に誘導結合通信送信を実行するときに、共存モードを選択することと、
を備える、請求項１に記載の方法。
【請求項３】
前記誘導結合通信信号の周波数は、前記キャリア周波数である、請求項１に記載の方法。
【請求項４】
前記誘導結合通信信号の第７高調波は、２８ビットの波形ジェネレータルックアップテーブルを使用して除去される、請求項１に記載の方法。
【請求項５】
前記スタンドアロンモードが選択されたとき、前記誘導結合通信信号を生成することは、３２ビットの波形ジェネレータルックアップテーブルを使用して、前記誘導結合通信信号に前記第２の信号を変換することを備える、請求項１に記載の方法。
【請求項６】
前記キャリア周波数の整数倍である周波数で物理クロック信号を生成することと、ここにおいて、前記物理クロック信号は、前記選択されたモードに基づいて、前記第２の信号または第３の信号を分周することによって生成される、
前記キャリア周波数の整数倍である周波数でデジタルクロック信号を生成することと、ここにおいて、前記デジタルクロック信号は、前記物理クロック信号を分周することによって生成される、
をさらに備える、請求項１に記載の方法。
【請求項７】
前記第２の信号または前記第３の信号のいずれかを取得するために前記第１の信号を分周することは、前記選択されたモードに基づいて、１つまたは複数のプログラマブルディバイダを調整することを備える、請求項１に記載の方法。
【請求項８】
前記誘導結合通信は、近距離無線通信（ＮＦＣ）である、請求項１に記載の方法。
【請求項９】
前記キャリア周波数は、１３．５６メガヘルツ（ＭＨｚ）であり、前記第１の信号周波数は、６０７４．８８ＭＨｚであり、前記第２の信号周波数は、４３３．９２ＭＨｚであり、前記第３の信号周波数は、３７９．６８ＭＨｚである、請求項８に記載の方法。
【請求項１０】
誘導結合通信のための装置であって、
第１の信号を生成するための手段と、ここにおいて、第１の信号周波数は、誘導結合通信のためのキャリア周波数の第１の整数倍である、
スタンドアロンモードと共存モードの間で選択するための手段と、
スタンドアロンモードにあるときに、第２の信号を取得するために、前記第１の信号を分周するための手段と、ここにおいて、第２の信号周波数は、前記キャリア周波数の第２の整数倍である、
共存モードにあるときに、第３の信号を取得するために、前記第１の信号を分周するための手段と、ここにおいて、第３の信号周波数は、前記キャリア周波数の第３の整数倍である、
前記第２の信号および前記第３の信号のうちの少なくとも１つを使用して、誘導結合通信信号を生成するための手段と、
を備え、前記共存モードが選択されたとき、前記誘導結合通信信号を生成するための前記手段は、波形ジェネレータルックアップテーブルを使用して、前記誘導結合通信信号に前記第３の信号を変換するための手段を備える、装置。
【請求項１１】
前記スタンドアロンモードと前記共存モードの間で選択するための前記手段は、
ＦＭ受信なしに誘導結合通信送信を実行するときに、スタンドアロンモードを選択するための手段と、
ＦＭ受信中に誘導結合通信送信を実行するときに、共存モードを選択するための手段と、
を備える、請求項１０に記載の装置。
【請求項１２】
前記誘導結合通信信号の第７高調波は、２８ビットの波形ジェネレータルックアップテーブルを使用して除去される、請求項１０に記載の装置。
【請求項１３】
前記スタンドアロンモードが選択されたとき、前記誘導結合通信信号を生成するための前記手段は、３２ビットの波形ジェネレータルックアップテーブルを使用して、前記誘導結合通信信号に前記第２の信号を変換するための手段を備える、請求項１０に記載の装置。
【請求項１４】
前記キャリア周波数の整数倍である周波数で物理クロック信号を生成するための手段と、ここにおいて、前記物理クロック信号は、前記選択されたモードに基づいて、前記第２の信号または第３の信号を分周することによって生成される、
前記キャリア周波数の整数倍である周波数でデジタルクロック信号を生成するための手段と、ここにおいて、前記デジタルクロック信号は、前記物理クロック信号を分周することによって生成される、
をさらに備える、請求項１０に記載の装置。
【請求項１５】
コンピューティングデバイスの処理手段によって実行されると請求項１〜９のいずれかに記載の方法を実行するための命令を備える、コンピュータプログラム。
【手続補正２】
【補正対象書類名】明細書
【補正対象項目名】０１２３
【補正方法】変更
【補正の内容】
【０１２３】
[00128]特許請求の範囲は、上記に例示されたとおりの構成およびコンポーネントに限定されないことが理解されるべきである。さまざまな修正、変更、および変形が、特許請求の範囲から逸脱することなく、ここで説明されたシステム、方法、および装置の配置、動作および詳細において行われ得る。
以下に、本願の出願当初の特許請求の範囲に記載された発明を付記する。
［Ｃ１］
誘導結合通信のための方法であって、
第１の信号を生成することと、ここにおいて、第１の信号周波数は、誘導結合通信のためのキャリア周波数の第１の整数倍である、
スタンドアロンモードと共存モードの間で選択することと、
スタンドアロンモードにあるときに、第２の信号を取得するために、前記第１の信号を分周することと、ここにおいて、第２の信号周波数は、前記キャリア周波数の第２の整数倍である、
共存モードにあるときに、第３の信号を取得するために、前記第１の信号を分周することと、ここにおいて、第３の信号周波数は、前記キャリア周波数の第３の整数倍である、  前記第２の信号および前記第３の信号のうちの少なくとも１つを使用して、誘導結合通信信号を生成することと、
を備える方法。
［Ｃ２］
前記スタンドアロンモードと前記共存モードの間で選択することは、
ＦＭ受信なしに誘導結合通信送信を実行するときに、スタンドアロンモードを選択することと、
ＦＭ受信中に誘導結合通信送信を実行するときに、共存モードを選択することと、
を備える、Ｃ１に記載の方法。
［Ｃ３］
前記共存モードが選択されたとき、前記誘導結合通信信号を生成することは、２８ビットの波形ジェネレータルックアップテーブルを使用して、前記誘導結合通信信号に前記第３の信号を変換することを備える、Ｃ１に記載の方法。
［Ｃ４］
前記誘導結合通信信号の周波数は、前記キャリア周波数である、Ｃ３に記載の方法。
［Ｃ５］
前記誘導結合通信信号の第７高調波は、前記２８ビットの波形ジェネレータルックアップテーブルを使用して除去される、Ｃ３に記載の方法。
［Ｃ６］
前記スタンドアロンモードが選択されたとき、前記誘導結合通信信号を生成することは、３２ビットの波形ジェネレータルックアップテーブルを使用して、前記誘導結合通信信号に前記第２の信号を変換することを備える、Ｃ１に記載の方法。
［Ｃ７］
前記キャリア周波数の整数倍である周波数で物理クロック信号を生成することと、ここにおいて、前記物理クロック信号は、前記選択されたモードに基づいて、前記第２の信号または第３の信号を分周することによって生成される、
前記キャリア周波数の整数倍である周波数でデジタルクロック信号を生成することと、ここにおいて、前記デジタルクロック信号は、前記物理クロック信号を分周することによって生成される、
をさらに備える、Ｃ１に記載の方法。
［Ｃ８］
前記第２の信号または前記第３の信号のいずれかを取得するために前記第１の信号を分周することは、前記選択されたモードに基づいて、１つまたは複数のプログラマブルディバイダを調整することを備える、Ｃ１に記載の方法。
［Ｃ９］
前記誘導結合通信は、近距離無線通信（ＮＦＣ）である、Ｃ１に記載の方法。
［Ｃ１０］
前記キャリア周波数は、１３．５６メガヘルツ（ＭＨｚ）であり、前記第１の信号周波数は、６０７４．８８ＭＨｚであり、前記第２の信号周波数は、４３３．９２ＭＨｚであり、前記第３の信号周波数は、３７９．６８ＭＨｚである、Ｃ９に記載の方法。
［Ｃ１１］
誘導結合通信のための回路であって、
第１の信号を生成する信号ジェネレータと、ここにおいて、第１の信号周波数は、誘導結合通信のためのキャリア周波数の第１の整数倍である、
スタンドアロンモードと共存モードの間で選択するモード選択モジュールと、
スタンドアロンモードにあるときに、第２の信号を取得するために、前記第１の信号を分周するスタンドアロンディバイダと、ここにおいて、第２の信号周波数は、前記キャリア周波数の第２の整数倍である、
共存モードにあるときに、第３の信号を取得するために、前記第１の信号を分周する共存ディバイダと、ここにおいて、第３の信号周波数は、前記キャリア周波数の第３の整数倍である、
前記第２の信号および前記第３の信号のうちの少なくとも１つを使用して、誘導結合通信信号を生成する誘導結合通信信号ジェネレータと、
を備える回路。
［Ｃ１２］
前記モード選択モジュールは、電子デバイスがＦＭ受信なしに誘導結合通信送信を実行しているときに、スタンドアロンモードを選択し、前記モード選択モジュールは、前記電子デバイスがＦＭ受信中に誘導結合通信送信を実行しているときに、共存モードを選択する、Ｃ１１に記載の回路。
［Ｃ１３］
前記共存モードが選択されたとき、前記誘導結合通信信号ジェネレータは、２８ビットの波形ジェネレータルックアップテーブルを使用して、前記誘導結合通信信号に前記第３の信号を変換する、Ｃ１１に記載の回路。
［Ｃ１４］
前記誘導結合通信信号の周波数は、前記キャリア周波数である、Ｃ１３に記載の回路。
［Ｃ１５］
前記誘導結合通信信号の第７高調波は、前記２８ビットの波形ジェネレータルックアップテーブルを使用して除去される、Ｃ１３に記載の回路。
［Ｃ１６］
前記スタンドアロンモードが選択されたとき、前記誘導結合通信信号ジェネレータは、３２ビットの波形ジェネレータルックアップテーブルを使用して、前記誘導結合通信信号に前記第２の信号を変換する、Ｃ１１に記載の回路。
［Ｃ１７］
前記選択されたモードに基づいて前記第２の信号または第３の信号を分周することによって物理クロック信号を生成する物理クロックディバイダと、ここにおいて、前記物理クロック信号は、前記キャリア周波数の整数倍である周波数を有する、
前記物理クロック信号を分周することによってデジタルクロック信号を生成するデジタルクロックディバイダと、ここにおいて、前記デジタルクロック信号は、前記キャリア周波数の整数倍である周波数を有する、
をさらに備える、Ｃ１１に記載の回路。
［Ｃ１８］
誘導結合通信のための装置であって、
第１の信号を生成するための手段と、ここにおいて、第１の信号周波数は、誘導結合通信のためのキャリア周波数の第１の整数倍である、
スタンドアロンモードと共存モードの間で選択するための手段と、
スタンドアロンモードにあるときに、第２の信号を取得するために、前記第１の信号を分周するための手段と、ここにおいて、第２の信号周波数は、前記キャリア周波数の第２の整数倍である、
共存モードにあるときに、第３の信号を取得するために、前記第１の信号を分周するための手段と、ここにおいて、第３の信号周波数は、前記キャリア周波数の第３の整数倍である、
前記第２の信号および前記第３の信号のうちの少なくとも１つを使用して、誘導結合通信信号を生成するための手段と、
を備える装置。
［Ｃ１９］
前記スタンドアロンモードと前記共存モードの間で選択するための前記手段は、
ＦＭ受信なしに誘導結合通信送信を実行するときに、スタンドアロンモードを選択するための手段と、
ＦＭ受信中に誘導結合通信送信を実行するときに、共存モードを選択するための手段と、
を備える、Ｃ１８に記載の装置。
［Ｃ２０］
前記共存モードが選択されたとき、前記誘導結合通信信号を生成するための前記手段は、２８ビットの波形ジェネレータルックアップテーブルを使用して、前記誘導結合通信信号に前記第３の信号を変換するための手段を備える、Ｃ１８に記載の装置。
［Ｃ２１］
前記誘導結合通信信号の周波数は、前記キャリア周波数である、Ｃ２０に記載の装置。
［Ｃ２２］
前記誘導結合通信信号の第７高調波は、前記２８ビットの波形ジェネレータルックアップテーブルを使用して除去される、Ｃ２０に記載の装置。
［Ｃ２３］
前記スタンドアロンモードが選択されたとき、前記誘導結合通信信号を生成するための前記手段は、３２ビットの波形ジェネレータルックアップテーブルを使用して、前記誘導結合通信信号に前記第２の信号を変換するための手段を備える、Ｃ１８に記載の装置。
［Ｃ２４］
前記キャリア周波数の整数倍である周波数で物理クロック信号を生成するための手段と、ここにおいて、前記物理クロック信号は、前記選択されたモードに基づいて、前記第２の信号または第３の信号を分周することによって生成される、
前記キャリア周波数の整数倍である周波数でデジタルクロック信号を生成するための手段と、ここにおいて、前記デジタルクロック信号は、前記物理クロック信号を分周することによって生成される、
をさらに備える、Ｃ１８に記載の装置。
［Ｃ２５］
誘導結合通信のためのコンピュータプログラム製品であって、その上に命令を有する非一時的な有形のコンピュータ可読媒体を備え、前記命令は、
電子デバイスに、第１の信号を生成させるためのコードと、ここにおいて、第１の信号周波数は、誘導結合通信のためのキャリア周波数の第１の整数倍である、
前記電子デバイスに、スタンドアロンモードと共存モードの間で選択させるためのコードと、
前記電子デバイスに、スタンドアロンモードにあるときに、第２の信号を取得するために、前記第１の信号を分周させるためのコードと、ここにおいて、第２の信号周波数は、前記キャリア周波数の第２の整数倍である、
前記電子デバイスに、共存モードにあるときに、第３の信号を取得するために、前記第１の信号を分周させるためのコードと、ここにおいて、第３の信号周波数は、前記キャリア周波数の第３の整数倍である、
前記電子デバイスに、前記第２の信号および前記第３の信号のうちの少なくとも１つを使用して、誘導結合通信信号を生成させるためのコードと、
を備える、コンピュータプログラム製品。
［Ｃ２６］
前記電子デバイスに、スタンドアロンモードと共存モードの間で選択させるための前記コードは、
前記電子デバイスに、ＦＭ受信なしに誘導結合通信送信を実行するときに、スタンドアロンモードを選択させるためのコードと、
前記電子デバイスに、ＦＭ受信中に誘導結合通信送信を実行するときに、共存モードを選択させるためのコードと、
を備える、Ｃ２５に記載のコンピュータプログラム製品。
［Ｃ２７］
前記共存モードが選択されたとき、前記電子デバイスに、前記誘導結合通信信号を生成させるための前記コードは、前記電子デバイスに、２８ビットの波形ジェネレータルックアップテーブルを使用して、前記誘導結合通信信号に前記第３の信号を変換させるためのコードを備える、Ｃ２５に記載のコンピュータプログラム製品。
［Ｃ２８］
前記誘導結合通信信号の周波数は、前記キャリア周波数である、Ｃ２７に記載のコンピュータプログラム製品。
［Ｃ２９］
前記誘導結合通信信号の第７高調波は、前記２８ビットの波形ジェネレータルックアップテーブルを使用して除去される、Ｃ２７に記載のコンピュータプログラム製品。
［Ｃ３０］
前記電子デバイスに、前記キャリア周波数の整数倍である周波数で物理クロック信号を生成させるためのコードと、ここにおいて、前記物理クロック信号は、前記選択されたモードに基づいて、前記第２の信号または第３の信号を分周することによって生成される、  前記電子デバイスに、前記キャリア周波数の整数倍である周波数でデジタルクロック信号を生成させるためのコードと、ここにおいて、前記デジタルクロック信号は、前記物理クロック信号を分周することによって生成される、
をさらに備える、Ｃ２５に記載のコンピュータプログラム製品。